(57)【要約】【課題】ＩＤタグの装着状態の安定化を図りつつ、生産性の向上を図ることのできるパレットを提供する。【解決手段】パレット１は、ＩＤタグ２１を収容するタグ収容部２２を備え、パレット１の上側部分を構成する上構成部１１と、パレット１の下側部分を構成する下構成部１２とが溶着されることで構成されている。タグ収容部２２は、上デッキ部５により構成される上収容部２３と、下デッキ部６により構成される下収容部２４とを備え、上収容部２３は、タグ収容部２２を上方に開口させ、ＩＤタグ２１の挿入を許容する挿入開口部２５を備える。下収容部２４のうち、タグ収容部２２に収容されたＩＤタグ２１の外周面と対向する下側内面構成部２８と、ＩＤタグ２１の外周面との間の距離が、上収容部２３のうち、タグ収容部２２に収容されたＩＤタグ２１の外周面と対向する上側内面構成部２９と、ＩＤタグ２１の外周面との間の距離よりも長くなっている。【選択図】      図３
2019156445.tif 000002
【特許請求の範囲】
【請求項１】
複数の柱部と、
前記複数の柱部の上端部間を連結する上デッキ部と、
前記複数の柱部の下端部間を連結する下デッキ部と、
所定の前記柱部に設けられ、ＩＤタグを収容するタグ収容部とを備えるパレットにおいて、
前記複数の柱部の上側部分と、前記上デッキ部とを備える上構成部と、前記複数の柱部の下側部分と、前記下デッキ部とを備える下構成部とが溶着されることで構成され、
前記タグ収容部は、
前記上構成部により構成される部位であって、前記ＩＤタグの上部を収容する上収容部と、
前記下構成部により構成される部位であって、前記ＩＤタグの下部を収容する下収容部とを備え、
前記上収容部は、前記タグ収容部を上方に開口させ、前記ＩＤタグの挿入を許容する挿入開口部を備え、
前記下収容部は、前記タグ収容部に収容された前記ＩＤタグの下面と当接して支持する底支持部を備え、
前記下収容部のうち、前記タグ収容部に収容された前記ＩＤタグの外周面と対向する下側内面構成部と、前記タグ収容部に収容された前記ＩＤタグの外周面との間の距離が、
前記上収容部のうち、前記タグ収容部に収容された前記ＩＤタグの外周面と対向する上側内面構成部と、前記タグ収容部に収容された前記ＩＤタグの外周面との間の距離よりも長くなるように構成されていることを特徴とするパレット。
【請求項２】
前記挿入開口部に装着されるキャップ部材を備え、
前記キャップ部材は、前記挿入開口部に装着された状態において、前記タグ収容部に収容された前記ＩＤタグの上面と当接するとともに、上下方向に弾性変形可能に構成されたバネ片を備えていることを特徴とする請求項１に記載のパレット。
【請求項３】
前記キャップ部材は、前記挿入開口部に装着された状態において、前記タグ収容部に収容された前記ＩＤタグが、前記バネ片を弾性変形させて上方に相対変位した場合に、当該ＩＤタグの上面と当接するストッパー部を備えていることを特徴とする請求項２に記載のパレット。
【請求項４】
前記ＩＤタグは、平面視略矩形状をなし、
前記上収容部の前記上側内面構成部は、前記ＩＤタグの各側面に対して、それぞれ前記各側面の横幅方向において２カ所以上で当接可能に構成されている、又は、それぞれ面で当接可能に構成されていることを特徴とする請求項１乃至３のいずれかに記載のパレット。
【発明の詳細な説明】
【技術分野】
【０００１】
本発明は、物品の運搬等に使用されるパレットに関するものである。
【背景技術】
【０００２】
一般に、物品の運搬等に使用されるパレットは、複数の支柱部と、当該複数の支柱部の上端部間、及び、下端部間を連結する上デッキ部、及び、下デッキ部とを備え、支柱部間においてフォークリフトのフォークを差込み可能なフォーク差込み部を有している。また、パレットに対し、パレットに載置される物品に関する情報等を有するＩＤタグを収容可能とするタグ収容部を設けることが知られている（例えば、特許文献１等参照。）。
【先行技術文献】
【特許文献】
【０００３】
【特許文献１】特開２００９−２０８７８７号公報
【発明の概要】
【発明が解決しようとする課題】
【０００４】
また、上デッキ部、及び、下デッキ部を備えるパレットは、一般に、上デッキ部、及び、支柱部の上側部分を具備する上構成部と、下デッキ部、及び、支柱部の下側部分を具備する下構成部とを溶着させることで構成されている。さらに、タグ収容部についても、上構成部により構成される部位である上収容部と、下構成部により構成される部位である下収容部とを備えている。
【０００５】
ところで、タグ収容部は、当該タグ収容部に収容されたＩＤタグのガタツキを抑止するべく、ＩＤタグの形状に合わせて形成されることが望ましい。しかしながら、上構成部と、下構成部とを溶着した場合に、上構成部（上収容部）と、下構成部（下収容部）との間に水平方向におけるずれが僅かにでも生じてしまった場合には、タグ収容部にＩＤタグを収容することができなくなってしまうことが懸念される。
【０００６】
本発明は、上記例示した問題点等を解決するためになされたものであって、その目的は、ＩＤタグの装着状態の安定化を図りつつ、生産性の向上を図ることのできるパレットを提供することにある。
【課題を解決するための手段】
【０００７】
以下、上記目的等を解決するのに適した各手段につき項分けして説明する。なお、必要に応じて対応する手段に特有の作用効果等を付記する。
【０００８】
手段１．複数の柱部と、
前記複数の柱部の上端部間を連結する上デッキ部と、
前記複数の柱部の下端部間を連結する下デッキ部と、
所定の前記柱部に設けられ、ＩＤタグを収容するタグ収容部とを備えるパレットにおいて、
前記複数の柱部の上側部分と、前記上デッキ部とを備える上構成部と、前記複数の柱部の下側部分と、前記下デッキ部とを備える下構成部とが溶着されることで構成され、
前記タグ収容部は、
前記上構成部により構成される部位であって、前記ＩＤタグの上部を収容する上収容部と、
前記下構成部により構成される部位であって、前記ＩＤタグの下部を収容する下収容部とを備え、
前記上収容部は、前記タグ収容部を上方に開口させ、前記ＩＤタグの挿入を許容する挿入開口部を備え、
前記下収容部は、前記タグ収容部に収容された前記ＩＤタグの下面と当接して支持する底支持部を備え、
前記下収容部のうち、前記タグ収容部に収容された前記ＩＤタグの外周面と対向する下側内面構成部と、前記タグ収容部に収容された前記ＩＤタグの外周面との間の距離が、
前記上収容部のうち、前記タグ収容部に収容された前記ＩＤタグの外周面と対向する上側内面構成部と、前記タグ収容部に収容された前記ＩＤタグの外周面との間の距離よりも長くなるように構成されていることを特徴とするパレット。
【０００９】
手段１によれば、タグ収容部のうち、上収容部の上側内面構成部の内寸（ＩＤタグの上部の収容が許容される空間の水平方向における寸法）よりも、下収容部の下側内面構成部の内寸（ＩＤタグの下部の収容が許容される空間の水平方向における寸法）が広く構成されている。このため、例えば、パレットの製造に際して、上構成部と、下構成部とを溶着した場合に、水平方向において、上構成部と、下構成部とが若干ずれてしまった（例えば、上構成部、及び、下構成部の外周面同士は合致していても、上収容部と、下収容部とが若干ずれている）場合であっても、下収容部が、かかるずれを許容し、ＩＤタグを支障なくタグ収容部に収容することができる。従って、製造誤差程度のずれでＩＤタグを装着不可能となり、不良品とされてしまうといったリスクを低減させることができる。
【００１０】
その一方で、上収容部に関しては、上記のような上構成部と、下構成部との溶着に際してのずれをさほど厳格に考慮する必要がないことから、上側内面構成部の内寸を、ＩＤタグの外寸に丁度合わせることができる。従って、タグ収容部に収容されたＩＤタグの水平方向における位置ずれを上収容部において防止することができる。結果として、上記のように不良品の発生を抑制することで生産性の向上を図りつつも、ＩＤタグの装着状態の安定化を図ることができる。
【００１１】
加えて、例えば、タグ収容部のうち、挿入開口部側である上側内面構成部の内寸が、タグ収容部の奥側である下収容部の下側内面構成部の内寸よりも広く構成される場合のように、ＩＤタグのタグ収容部への装着に際し、タグ収容部の奥側の狭くなっている部分にＩＤタグの位置を合さなければならないような構成に比べ、ＩＤタグの装着作業性の向上を図ることができる。
【００１２】
手段２．前記挿入開口部に装着されるキャップ部材を備え、
前記キャップ部材は、前記挿入開口部に装着された状態において、前記タグ収容部に収容された前記ＩＤタグの上面と当接するとともに、上下方向に弾性変形可能に構成されたバネ片を備えていることを特徴とする手段１に記載のパレット。
【００１３】
手段２によれば、キャップ部材が設けられることで、タグ収容部に収容されたＩＤタグの脱落を防止するとともに、当該ＩＤタグの上下方向におけるガタツキを防止することができる。特に、キャップ部材においてバネ片が設けられ、当該キャップ部材が挿入開口部に装着された状態では、バネ片がＩＤタグの上面と当接する構成により、タグ収容部に収容されたＩＤタグの上下方向におけるガタツキをより効果的に防止することができる。従って、タグ収容部においてＩＤタグが変位（振動等）することに起因して、ＩＤタグが故障してしまうといった事態をより確実に防止することができる。
【００１４】
手段３．前記キャップ部材は、前記挿入開口部に装着された状態において、前記タグ収容部に収容された前記ＩＤタグが、前記バネ片を弾性変形させて上方に相対変位した場合に、当該ＩＤタグの上面と当接するストッパー部を備えていることを特徴とする手段２に記載のパレット。
【００１５】
手段３によれば、バネ片が比較的大きく弾性変形されることに起因して、バネ片が塑性変形してしまったり、バネ片の劣化が早まって破損し易くなってしまったりするといった事態を回避することができる。
【００１６】
手段４．前記ＩＤタグは、平面視略矩形状をなし、
前記上収容部の前記上側内面構成部は、前記ＩＤタグの各側面に対して、それぞれ前記各側面の横幅方向において２カ所以上で当接可能に構成されている、又は、それぞれ面で当接可能に構成されていることを特徴とする手段１乃至３のいずれかに記載のパレット。
【００１７】
手段４によれば、タグ収容部に収容されたＩＤタグがタグ収容部に対し平面視で回動するようにして相対変位してしまうといった事態を防止することができる。
【図面の簡単な説明】
【００１８】
【図１】パレットの斜視図である。
【図２】ＩＤタグ装着前の中央柱部を示す部分拡大斜視図である。
【図３】中央柱部の断面図である。
【図４】中央柱部の断面図である。
【図５】キャップ部材を装着する前の中央柱部を示す断面図である。
【図６】中央柱部の一部断面を含む部分拡大斜視図である。
【図７】ＩＤタグ装着前の中央柱部の一部断面を含む部分拡大斜視図である。
【図８】中央柱部の上側部分を下側から見た部分拡大斜視図である。
【図９】ＩＤタグを装着した中央柱部の上側部分を下側から見た部分拡大斜視図である。
【図１０】中央柱部の下側部分を上側から見た部分拡大斜視図である。
【図１１】ＩＤタグを装着した中央柱部の下側部分を上側から見た部分拡大斜視図である。
【図１２】キャップ部材の上面側斜視図である。
【図１３】キャップ部材の下面側斜視図である。
【図１４】別の実施形態における上収容部の水平断面を下側から見た断面図である。
【図１５】別の実施形態における上収容部の水平断面を下側から見た断面図である。
【発明を実施するための形態】
【００１９】
以下に、一実施形態について図面を参照して説明する。図１に示すように、パレット１は、平面視略矩形状をなしている。また、パレット１は、パレット１の４隅に設けられる４本の隅柱部２、パレット１の各側辺部に沿って並ぶ一対の隅柱部２の中間部位に設けられる中間柱部３、及び、パレット１の中央部に設けられる中央柱部４と、隅柱部２、中間柱部３、及び、中央柱部４の上端部間を連結する上デッキ部５と、隅柱部２、中間柱部３、及び、中央柱部４の下端部間を連結する下デッキ部６とを備えている。加えて、各隅柱部２と中間柱部３との間には、フォークリフトのフォークを差込み可能なフォーク差込み部７が形成されている。本実施形態では、パレット１の外周面を構成する４つの側面からフォークを差込み可能な４方差しタイプのパレットとなっている。
【００２０】
また、本実施形態では、隅柱部２、中間柱部３、中央柱部４、及び、上デッキ部５の上面によって物品を載置可能な「載置面８」が構成されている。さらに、隅柱部２、中間柱部３、中央柱部４、及び、下デッキ部６の下面によって、パレット１が設置される床面等の設置面に接地する「接地面９」が構成されている。
【００２１】
また、パレット１は、隅柱部２、中間柱部３、及び、中央柱部４の上側部分と、上デッキ部５とを具備する上構成部１１と、隅柱部２、中間柱部３、及び、中央柱部４の下側部分と、下デッキ部６とを具備する下構成部１２とを備えている。上構成部１１、及び、下構成部１２は、それぞれポリプロピレンにより一体的に形成されている。そして、上構成部１１の隅柱部２、中間柱部３、及び、中央柱部４の下面と、下構成部１２の隅柱部２、中間柱部３、及び、中央柱部４の上面とが熱溶着されることにより、上構成部１１と下構成部１２とが一体化され、これにより本実施形態のパレット１が構成されている。
【００２２】
加えて、図１、図２等に示すように、上デッキ部５、及び、下デッキ部６の裏面側には、補強リブ１３が格子状に設けられている。また、本実施形態の上デッキ部５、及び、下デッキ部６には、補強リブ１３で囲まれた部位のそれぞれに水抜き孔１４が設けられている。さらに、図１、図２、図６、図８、図１０等に示すように、各隅柱部２、各中間柱部３、及び、中央柱部４は、各隅柱部２、各中間柱部３、及び、中央柱部４の外周面を構成する略四角筒状の周壁部１５と、周壁部１５の内側において格子状に設けられ、周壁部１５と連結されている内壁部１６とを備えている。周壁部１５、及び、内壁部１６を構成する各壁部は、パレット１の長側辺部、及び、短側辺部と略平行して延在している。さらに、各隅柱部２、各中間柱部３、及び、中央柱部４の上面、及び、下面を構成する壁部に関しては、基本的に、無孔状となっている。
【００２３】
加えて、図８に示すように、上構成部１１に設けられる内壁部１６は、基本的に、隅柱部２、中間柱部３、及び、中央柱部４の上面を構成する壁部の下面から、上構成部１１（周壁部１５）の下端部と同じ高さ位置となるまで延びており、適宜、内壁部１６同士の交差部位が上側部位を残すようにして切り欠かれたような形状をなしている。また、図１０に示すように、下構成部１２に設けられる内壁部１６についても、基本的に、隅柱部２、中間柱部３、及び、中央柱部４の下面を構成する壁部の上面から、下構成部１２（周壁部１５）の上端部と同じ高さ位置となるまで延びており、適宜、内壁部１６同士の交差部位が下側部位を残すようにして切り欠かれたような形状をなしている。そして、図３、図４、図６に示すように、上構成部１１と、下構成部１２とが溶着されることで、上構成部１１、及び、下構成部１２の周壁部１５同士が溶着されるだけでなく、内壁部１６同士も溶着されるようになっている。
【００２４】
さて、図１、図２、図６に示すように、パレット１には、平面視でパレット１の中央部近傍（中央柱部４の内壁部１６、及び、周壁部１５で区画された領域の１つ）において、パレット１に載置される物品に関する情報が記憶されたＩＤタグ２１（本例では、アクティブ型ＩＣタグ）を収容するタグ収容部２２が設けられている。図２に示すように、本実施形態のＩＤタグ２１は略直方体形状をなし、その長手方向が上下方向となるようにして、タグ収容部２２に収容される。また、図５、図７等に示すように、タグ収容部２２は、上構成部１１により構成される部位であって、ＩＤタグ２１の上部を収容する上収容部２３と、下構成部１２により構成される部位であって、ＩＤタグ２１の下部を収容する下収容部２４とを備えている。
【００２５】
上収容部２３には、タグ収容部２２を上方に開口させて、載置面８側からＩＤタグ２１をタグ収容部２２へと挿入可能とする挿入開口部２５が設けられている。また、本実施形態の上収容部２３は、上下に延びる略四角筒状の上側収容壁部２６の内側空間により構成されており、上側収容壁部２６の上側の開口部が前記挿入開口部２５とされ、下側の開口部が下収容部２４との連通部となっている。また、図８等に示すように、上側収容壁部２６を構成する各側壁部の外面が、上構成部１１の内壁部１６と連結されている。
【００２６】
図３、図７、図１０等に示すように、下収容部２４は、タグ収容部２２に収容されたＩＤタグ２１の下面と当接して支持する底支持部２７を備えている。本実施形態の下収容部２４は、上収容部２３と対応する位置において、下構成部１２の中央柱部４の内壁部１６同士が交差している部位のうち上側部位を切り欠いたような形状とすることで構成されており、底支持部２７は、当該内壁部１６の切欠き部位の上辺部により構成されている。加えて、中央柱部４の下面を構成する壁部は、基本的には無孔状に構成されているものの、図１０に示すように、下収容部２４の下方に対応する位置には、水抜き孔１４が設けられている。
【００２７】
また、図３、図４等に示すように、本実施形態では、下収容部２４（を画定する部位）のうち、タグ収容部２２に収容されたＩＤタグ２１の外周面と対向する下側内面構成部２８（本例では、下収容部２４のために切り欠いたような形状とされた内壁部１６の端辺部；図１０、図１１参照）と、タグ収容部２２に収容されたＩＤタグ２１の外周面との間の距離が、上収容部２３（を画定する部位）のうち、タグ収容部２２に収容されたＩＤタグ２１の外周面と対向する上側内面構成部２９（本例では、略四角筒状の上側収容壁部２６の内面；図８、図９参照）と、タグ収容部２２に収容されたＩＤタグ２１の外周面との間の距離よりも長くなるように構成されている。つまり、タグ収容部２２のうち、上収容部２３の上側内面構成部２９の内寸（上収容部２３に収容されたＩＤタグ２１の上部が位置し得る空間の水平方向における寸法）よりも、下収容部２４の下側内面構成部２８の内寸（下収容部２４に収容されたＩＤタグ２１の下部が、下収容部２４を画定する内壁部１６の端辺部に当接可能であると仮定した場合に、下収容部２４に収容されたＩＤタグ２１の下部が位置し得る空間の水平方向における寸法）が広く構成されている。
【００２８】
特に、上側内面構成部２９の内寸は、ＩＤタグ２１の外寸（外周面の寸法）とほぼ同じとなるように構成されている。このため、ＩＤタグ２１がタグ収容部２２に収容された場合には、ＩＤタグ２１の外周面を構成する４つの側面が、それぞれ上側内面構成部２９と面で当接可能（少なくともＩＤタグ２１の各側面の横幅方向において２カ所以上で上側内面構成部２９と当接可能）となっている。当該構成により、タグ収容部２２に収容されたＩＤタグ２１の水平方向における相対変位が防止される上、下収容部２４の下側内面構成部２８に関しては、基本的に、ＩＤタグ２１と当接しないようになっている。尚、本実施形態の上側収容壁部２６の内面は、若干ではあるが、下方に向けて漸次拡幅するように構成されている。このため、上側内面構成部２９のうち少なくとも上部の内寸が、ＩＤタグ２１の外寸とほぼ同じとなっている。
【００２９】
加えて、図３、図７、図８等に示すように、上構成部１１の内壁部１６のうち上側収容壁部２６との連結部位、及び、上側収容壁部２６に関しては、その下端部が、上構成部１１（周壁部１５等）の下端部よりも若干上方に位置している。さらに、図３、図７、図１０等に示すように、下収容部２４の内壁部１６のうち下側内面構成部２８の近傍部位に関しては、その上端部が、下構成部１２（周壁部１５等）の上端部よりも若干下方に位置している。このため、上構成部１１と、下構成部１２とを溶着しても、タグ収容部２２の周辺部に関しては、上構成部１１と、下構成部１２との間に隙間が形成されることとなる。従って、上構成部１１（の内壁部１６）と、下構成部１２（の内壁部１６）とを溶着した際に、タグ収容部２２の周辺部において余剰樹脂が発生した場合であっても、かかる余剰樹脂は、前記隙間に収容されることとなり、タグ収容部２２の内側に余剰樹脂が進入してしまうといった事態が回避されるようになっている。
【００３０】
また、図２、図６等に示すように、タグ収容部２２の挿入開口部２５には、タグ収容部２２に収容されたＩＤタグ２１の脱落を防止するキャップ部材４１が装着される。図１２、図１３等に示すように、キャップ部材４１は、挿入開口部２５を塞ぐ略正方形板状のベース部４２と、ベース部４２の下面の４隅から下方に突出する下面視略Ｌ字状の外周突部４３と、外周突部４３の外面から外方に突出する係止爪４４とを備えている。本実施形態のキャップ部材４１は、ポリプロピレンにより一体的に形成されている。
【００３１】
これに対し、図２、図３、図４、図６等に示すように、上構成部１１の中央柱部４の上面（載置面８）を構成する壁部には、挿入開口部２５を包含する範囲に平面視略正方形状の開口部が形成されることにより構成され、キャップ部材４１のベース部４２を載置面８から上方に突出させることなく設置可能とするキャップ設置部３０が設けられている。キャップ設置部３０が設けられることで、中央柱部４の上面を構成する壁部には、上側収容壁部２６の内周側において開口部（挿入開口部２５）が形成されるだけでなく、上側収容壁部２６の短手幅方向における上側収容壁部２６の両側方位置においても開口部（以下、「係止開口部３１」と称する）が形成されている。さらに、上側収容壁部２６の上辺部の高さ位置が、中央柱部４の上面を構成する壁部の下面とほぼ同じ高さ位置とされている。
【００３２】
そして、キャップ部材４１をキャップ設置部３０に設置することで、ベース部４２の下面が、上側収容壁部２６の上辺部に当接して支持されるとともに、ベース部４２の外周面が、キャップ設置部３０の内周面に略当接するようになっている。さらに、外周突部４３が係止開口部３１に挿通され、係止爪４４が、中央柱部４の上面を構成する壁部の下面に係止されるようになっている。尚、図２等に示すように、上側収容壁部２６の長手幅方向において、上側収容壁部２６の外面間の距離は、キャップ設置部３０の幅よりも長く、上側収容壁部２６の内面間の距離は、キャップ設置部３０の幅よりも短い。このため、上側収容壁部２６のうち短手幅方向に延びる壁部の上辺部によっても、キャップ部材４１のベース部４２が支持されるようになっている。
【００３３】
また、図３、図４、図１３に示すように、キャップ部材４１には、挿入開口部２５への装着状態において、上側収容壁部２６の内側に挿入され、上側収容壁部２６の内面と略当接する内周突部４５が設けられている。内周突部４５は下面視略コ字状をなし、一対で設けられている。さらに、キャップ部材４１には、一対の内周突部４５の間の位置においてベース部４２の下面から下方に突出し、挿入開口部２５への装着状態において、タグ収容部２２に収容されたＩＤタグ２１の上面と当接するとともに、上下方向に弾性変形可能に構成されたバネ片４６が設けられている。内周突部４５の下端部は、バネ片４６の下端部とほぼ同じ高さ位置となるが、内周突部４５の下端部は、キャップ部材４１の内周側の部位が一段高くなるように構成されるとともに、ＩＤタグ２１のうち内周突部４５と上下に対向する部位は、面取り形状（Ｒ形状）とされている。このため、キャップ部材４１の挿入開口部２５への装着状態において、バネ片４６はＩＤタグ２１に当接状態とされるものの、内周突部４５はＩＤタグ２１と当接しておらず、ＩＤタグ２１が、キャップ部材４１に対し、バネ片４６を弾性変形させて上方に所定距離（例えば、２ｍｍ程度）を相対変位した場合に、ＩＤタグ２１の上面が、内周突部４５に当接するようになっている。尚、内周突部４５が下側となる向きでキャップ部材４１を単独で床面等に設置した場合には、内周突部４５の下端部、及び、バネ片４６が接地する（バネ片４６が接地しないようにしてもよい）。また、本実施形態では、内周突部４５がストッパー部を構成する。
【００３４】
加えて、図６、図１２に示すように、キャップ部材４１には、ベース部４２の外周の一部を凹ませるようにして形成された工具差込み部４７が設けられている。また、図７等に示すように、上側収容壁部２６のうちその短手幅方向に延びる壁部の内面には、上下に延びる差込対応溝部３２が設けられている。キャップ部材４１が挿入開口部２５に装着されることで、工具差込み部４７と、差込対応溝部３２との位置が合致するとともに、キャップ部材４１を取外す場合には、工具差込み部４７、及び、差込対応溝部３２に対して工具（例えば、マイナスドライバー等）の先端部を差し込んで、キャップ部材４１を持ち上げるようになっている。
【００３５】
以上詳述したように、本実施形態によれば、タグ収容部２２のうち、下収容部２４の下側内面構成部２８の内寸（ＩＤタグ２１の下部の収容が許容される空間の水平方向における寸法）が、上収容部２３の上側内面構成部２９の内寸（ＩＤタグ２１の上部の収容が許容される空間の水平方向における寸法）よりも広く構成されている。このため、例えば、パレット１の製造に際して、上構成部１１と、下構成部１２とを溶着した場合に、水平方向において、上構成部１１と、下構成部１２とが若干ずれてしまった（例えば、上構成部１１、及び、下構成部１２の外周面同士は合致していても、上収容部２３と、下収容部２４とが若干ずれている）場合であっても、下収容部２４が、かかるずれを許容し、ＩＤタグ２１を支障なくタグ収容部２２に収容することができる。従って、製造誤差程度のずれでＩＤタグ２１を装着不可能となり、不良品とされてしまうといったリスクを低減させることができる。
【００３６】
その一方で、上収容部２３に関しては、上記のような上構成部１１と、下構成部１２との溶着に際してのずれをさほど厳格に考慮する必要がないことから、上側内面構成部２９の内寸を、ＩＤタグ２１の外寸に丁度合わせることができる。従って、タグ収容部２２に収容されたＩＤタグ２１の水平方向における位置ずれを上収容部２３において防止することができる。結果として、上記のように不良品の発生を抑制することで生産性の向上を図りつつも、ＩＤタグ２１の装着状態の安定化を図ることができる。
【００３７】
加えて、例えば、タグ収容部２２のうち、挿入開口部２５側である上側内面構成部２９の内寸が、タグ収容部２２の奥側である下収容部２４の下側内面構成部２８の内寸よりも広く構成される場合のように、ＩＤタグ２１のタグ収容部２２への装着に際し、タグ収容部２２の奥側の狭くなっている部分にＩＤタグ２１の位置を合さなければならないような構成に比べ、ＩＤタグ２１の装着作業性の向上を図ることができる。
【００３８】
また、挿入開口部２５に装着されるキャップ部材４１が設けられることで、タグ収容部２２に収容されたＩＤタグ２１の脱落を防止するとともに、当該ＩＤタグ２１の上下方向におけるガタツキを防止することができる。特に、キャップ部材４１には、バネ片４６が設けられており、キャップ部材４１が挿入開口部２５に装着された状態では、バネ片４６がＩＤタグ２１の上面と当接するようになっている。これにより、タグ収容部２２に収容されたＩＤタグ２１の上下方向におけるガタツキをより効果的に防止することができる。従って、タグ収容部２２においてＩＤタグ２１が変位（振動等）することに起因して、ＩＤタグ２１が故障してしまうといった事態をより確実に防止することができる。
【００３９】
さらに、キャップ部材４１には、タグ収容部２２に収容されたＩＤタグ２１が、バネ片４６を弾性変形させて上方に相対変位した場合に、当該ＩＤタグ２１の上面と当接する内周突部４５が設けられている。このため、バネ片４６が比較的大きく弾性変形されることに起因して、バネ片４６が塑性変形してしまったり、バネ片４６の劣化が早まって破損し易くなってしまったりするといった事態を回避することができる。
【００４０】
加えて、上収容部２３の上側内面構成部２９（上側収容壁部２６の内面）は、ＩＤタグ２１の外周面を構成する各側面に対して、それぞれ面で当接可能に構成されている。このため、タグ収容部２２に収容されたＩＤタグ２１がタグ収容部２２に対し平面視で回動するようにして相対変位してしまうといった事態を防止することができる。
【００４１】
尚、上記実施形態の記載内容に限定されず、例えば次のように実施してもよい。勿論、以下において例示しない他の応用例、変更例も当然可能である。
【００４２】
（ａ）上記実施形態では、上収容部２３が、略四角筒状の上側収容壁部２６の内側空間により構成されているが、特にかかる構成に限定されるものではなく、例えば、図１４に示すように、内壁部１６同士が交差する部位を省略するような格好で上収容部２３を設ける（上記実施形態の上側収容壁部２６を省略し、内壁部１６でＩＤタグ２１の外周面を支持する）こととしてもよい。但し、当該構成を採用する場合には、タグ収容部２２に収容されたＩＤタグ２１が上面視で回動するようにして相対変位してしまうことが懸念される。このため、上記実施形態のように、ＩＤタグ２１の外周面を構成する各側面に対して、それぞれ面で当接する上側収容壁部２６を設けたり、或いは、図１５に示すように、ＩＤタグ２１の外周面を構成する各側面に対して、それぞれ各側面の横幅方向において２カ所以上で当接可能なように内壁部１６を設けたりすることが望ましい。尚、上構成部１１の内壁部１６の配置を変更する場合には、下構成部１２の内壁部１６の配置についても同様に変更し、上構成部１１、及び、下構成部１２の内壁部１６同士が溶着される部位を多く確保することが望ましい。また、図１４、図１５では、キャップ部材４１の係止に関する構成の図示を省略している。
【００４３】
加えて、上記実施形態では、上側収容壁部２６の内側面は、下方に向けて漸次拡幅するように構成されているが、特にかかる構成に限定されるものではなく、ＩＤタグ２１のタグ収容部２２への挿入が許容されるとともに、ＩＤタグ２１がタグ収容部２２に収容された状態において、ＩＤタグ２１の外周面（４側面）が、上収容部２３に当接、又は、近接するように構成されていればよい。例えば、上側収容壁部２６の上部に関し、相対する上側内面構成部２９が平行して延びるように構成してもよいし、上方に向けて漸次拡幅するように構成してもよい。
【００４４】
（ｂ）また、下収容部２４の構成についても特に限定されるものではなく、ＩＤタグ２１の下部を収容するとともに、ＩＤタグ２１の下面を支持可能に構成され、下収容部２４の下側内面構成部２８の内寸が、上収容部２３の上側内面構成部２９の内寸よりも広く構成されていればよい。例えば、下収容部２４の下側内面構成部が、下構成部１２の中央柱部４の周壁部１５により構成されることとしてもよい。
【００４５】
（ｃ）上記実施形態におけるキャップ部材４１の形状等については特に限定されるものではなく、適宜変更可能である。例えば、上記実施形態では、タグ収容部２２に取付けられたキャップ部材４１が、バネ片４６において、タグ収容部２２に収容されているＩＤタグ２１と、常時、当接するように構成されているが、ＩＤタグ２１が上方に相対変位しなければ当接しないように構成してもよい。尚、バネ片４６を省略することも可能である。
【００４６】
また、例えば、内周突部４５の突出長を短く構成する等して、ＩＤタグ２１と当接し得ないように構成してもよい。この場合、ＩＤタグ２１の上方への変位を規制する機能はなくなるものの、キャップ部材４１の水平方向における位置決め、及び、キャップ部材４１を挿入開口部２５へ装着する際のガイド（キャップ部材４１の設置向きの確認）等の機能については、上記実施形態と同様に有することとなる。尚、内周突部４５を省略することも可能である。
【００４７】
さらに、キャップ部材４１を上構成部１１に取付ける構成についても特に限定されるものではなく、適宜設計変更可能である。但し、上記実施形態のように、係止爪４４を上側収容壁部２６の外方に配置し、ＩＤタグ２１と当接し得ないように構成することで、（例えば、内周突部４５に代えて、係止爪４４の下端部がＩＤタグ２１の上方への所定量以上の相対変位を規制するといった構成に比べ）ＩＤタグ２１の上方への変位に起因して係止爪４４の係止状態が解除されるといった事態をより確実に防止することができる。
【００４８】
（ｄ）上記実施形態において、ＩＤタグ２１の外形状は特に限定されるものではなく、例えば、略円柱状に構成されていてもよいし、角部を面取り形状としなくてもよい。また、ＩＤタグ２１は、アクティブ型のＩＣタグに限定されるものではなく、パッシブ型やセミアクティブ型のＩＣタグであってもよい。加えて、ＩＤタグ２１の配置（タグ収容部２２の配置）については特に限定されるものではなく、適宜変更可能である。
【００４９】
（ｅ）上記実施形態では、上構成部１１、下構成部１２、及び、キャップ部材４１はポリプロピレンにより構成されているが、ポリエチレン、ＰＥＴ、ポリアミド等その他の樹脂材料により構成されることとしてもよい。また、上記実施形態では、４方差しタイプのパレット１に具体化されているが、２方差しタイプのパレットに適用することも可能である。さらに、例えば、下デッキ部６において、ハンドリフトのフォークの下面側に取付けられたキャスターを接地可能とするキャスター用開口部等の開口部が設けられるようなパレット（片面仕様タイプのパレット）に具体化してもよい。
【００５０】
尚、上記実施形態では、上構成部１１の上収容部２３に挿入開口部２５が設けられ、下構成部１２の下収容部２４に底支持部２７が設けられることとしているが、上構成部１１が下側となり、かつ、下構成部１２が上側となる向きでパレット１を使用することも可能である。
【符号の説明】
【００５１】
１…パレット、２…側柱部、３…中間柱部、４…中央柱部、５…上デッキ部、６…下デッキ部、７…フォーク差込み部、８…載置面、９…接地面、１１…上構成部、１２…下構成部、２１…ＩＤタグ、２２…タグ収容部、２３…上収容部、２４…下収容部、２５…挿入開口部、２６…上側収容壁部、２７…底支持部、２８…下側内面構成部、２９…上側内面構成部、３０…キャップ設置部、４１…キャップ部材、４２…ベース部、４５…内周突部、４６…バネ片。
【図１】
2019156445.tif 000003
【図２】
2019156445.tif 000004
【図３】
2019156445.tif 000005
【図４】
2019156445.tif 000006
【図５】
2019156445.tif 000007
【図６】
2019156445.tif 000008
【図７】
2019156445.tif 000009
【図８】
2019156445.tif 000010
【図９】
2019156445.tif 000011
【図１０】
2019156445.tif 000012
【図１１】
2019156445.tif 000013
【図１２】
2019156445.tif 000014
【図１３】
2019156445.tif 000015
【図１４】
2019156445.tif 000016
【図１５】
2019156445.tif 000017